(57)【要約】      （修正有）【課題】マスク装着時の呼吸を楽にする耳掛け紐用留め具を提供する。【解決手段】マスクのマスク本体部に設けられた耳掛け紐に取り付ける耳掛け紐用留め具１０である。耳掛け紐用留め具１０は、中央に胴部１０ａを備え、胴部１０ａの長手方向両端に、マスク本体部の左右両端部上下からそれぞれ耳に延びる耳掛け紐の上側紐及び下側紐に取り付ける取付部１０ｂをそれぞれ有している。取付部１０ｂは、自然状態におけるマスク本体部の左右両端部の上下間の長さより短い間隔で形成されている。【選択図】図４
0003229234.tif 000002
【実用新案登録請求の範囲】
【請求項１】
マスクのマスク本体部に設けられた耳掛け紐に取り付ける留め具であり、
前記マスク本体部の左右両端部上下からそれぞれ耳に延びる前記耳掛け紐の上側紐及び下側紐に取り付ける取付部をそれぞれ有し、
前記取付部は、自然状態における前記マスク本体部の前記左右両端部の上下間の長さより短い間隔であるマスクの耳掛け紐用留め具。
【請求項２】
前記取付部は、前記耳掛け紐を取り付ける切込みを備えている請求項１に記載の耳掛け紐用留め具。
【請求項３】
前記切込みは、前記切込みの開口部から、他方の開口部に対して遠ざかる方向に延びている請求項２に記載の耳掛け紐用留め具。
【請求項４】
前記耳掛け紐用留め具は、合成樹脂製である請求項１〜３のいずれか１項に記載の耳掛け紐用留め具。
【請求項５】
請求項１から４のいずれか１項に記載の耳掛け紐用留め具を、前記耳掛け紐に備えたマスク。
【考案の詳細な説明】
【技術分野】
【０００１】
本考案は、マスクの耳掛け紐に用いる留め具、及びそれを用いたマスクに関する。
【背景技術】
【０００２】
マスクは、布や不織布などからなるマスク本体部に耳掛け紐を備え、耳掛け紐を耳に掛けて、マスク本体部で口や鼻を前方から被覆する衛生用品である。耳掛け紐は、通常マスク本体部の左右それぞれの端縁にＵ字状に取り付けられ、それぞれの耳掛け紐を耳に掛けてマスク本体部を保持する。
【先行技術文献】
【特許文献】
【０００３】
【特許文献１】特開２０１８−１４５５４８号公報
【考案の概要】
【考案が解決しようとする課題】
【０００４】
マスクを装着していると、マスク本体部が口等を覆うことから吸気をするに際して抵抗が増加し息苦しさを感じたり、マスクと顔との間に熱がこもり、口の周囲が蒸れたり、夏季には体温の上昇が危惧される。
【０００５】
一方マスクは、花粉や微粒子等を呼吸とともに体内に吸引してしまうことを回避する目的と、例えばくしゃみなどをした際、口から唾が飛散し、周囲に病原菌等をまき散らすことを回避する、他者への配慮を目的として装着することがある。
【０００６】
主に他者へ配慮するためにマスクを装着している場合、口や鼻からの呼気の排出方向にマスク本体部があれば飛沫が周囲へ飛散することを防止でき、十分目的を達していると考えられる。しかし、その場合でも、マスク本体部が口と鼻を覆うことから、息苦しさや暑さ等の問題は解消されなかった。
【０００７】
本考案は、上記課題を解決し、主に周囲への配慮のためマスクを装着しているときは、呼吸を楽にし、かつマスクと顔の間に熱が蓄積されにくくできるマスクの耳掛け紐用留め具及びそれを有するマスクを提供することを目的とする。
【課題を解決するための手段】
【０００８】
上記の課題を解決するために、本考案は、マスクの耳掛け紐に取り付ける耳掛け紐用留め具及びそれを有するマスクを次のように構成した。
【０００９】
耳掛け紐用留め具は、マスク本体部の左右両端部上下からそれぞれ耳に延びる耳掛け紐の上側紐及び下側紐に取り付ける取付部をそれぞれ有している。取付部は、自然状態におけるマスク本体部の左右両端部の上下間の長さより短い間隔で設けられている。
【００１０】
マスクは、耳掛け紐に予め留め具を取り付けて構成されている。
【考案の効果】
【００１１】
本考案によれば、マスクの耳掛け紐を耳に掛けた後、耳掛け紐用留め具の取付部をマスク本体部から延びる耳掛け紐の上側紐及び下側紐に掛けることにより、マスク本体部から耳に延びる耳掛け紐の上下の間隔が狭められ、マスクの形状を立体的にし、且つ、マスク本体部の左右両側において空間がマスク本体部と顔との間に形成される。
【００１２】
これにより、マスクと顔との密着が緩和され、マスクと顔との間に熱が蓄積されることを抑止でき、且つ、口や鼻を通るゆっくりとした流れの息はマスク本体部を通過するとともにマスクの側方に形成された空間も通ることとなり、空間を通る分呼吸が楽になる。一方くしゃみや咳などをした際の強く速い息は、口及び鼻の前面を覆っているマスク本体部の内部を通過するので、マスク本体部で濾過され、これらによる唾の飛散等は十分に防止できる。
【図面の簡単な説明】
【００１３】
【図１】本考案にかかる一実施形態のマスクを示す斜視図
【図２】本考案にかかる一実施形態の耳掛け紐用留め具を示す斜視図
【図３】同耳掛け紐用留め具を示す正面図
【図４】同耳掛け紐用留め具を示す側面図
【図５】同マスクの使用例を示す斜視図
【考案を実施するための形態】
【００１４】
本考案にかかる一実施形態のマスクの耳掛け紐用留め具及びマスクについて説明する。図１に、マスクの耳掛け紐用留め具（以下「留め具」とする）１０を備えたマスク１２を示す。
【００１５】
マスク１２は、マスク本体部１４と耳掛け紐１６とを備え、耳掛け紐１６に留め具１０が取り付けられている。マスク本体部１４は、上縁１４ａと下縁１４ｂと右側縁１４ｃと左側縁１４ｄとを備えた、概ね長方形状で、布もしくは不織布等から形成されている。マスク本体部１４の右側縁１４ｃと左側縁１４ｄには、それぞれ耳掛け紐１６が取り付けられている。
【００１６】
耳掛け紐１６は、適度な弾性を有する例えばゴム紐等からなり、マスク本体部１４の右側縁１４ｃには右耳掛け紐１６ｃが、マスク本体部１４の左側縁１４ｄには左耳掛け紐１６ｄが取り付けられている。
【００１７】
右耳掛け紐１６ｃは、右側縁１４ｃの上端部に一端が取り付けられ、下端部に右耳掛け紐１６ｃの他端が取り付けられ、マスク本体部１４の右側縁１４ｃを含めて環状に形成されている。
【００１８】
左耳掛け紐１６ｄは、左側縁１４ｄに、右耳掛け紐１６ｃと同様に取り付けられている。耳掛け紐１６は、適度な長さと張力とを有し、右耳掛け紐１６ｃ及び左耳掛け紐１６ｄをそれぞれ耳の後ろに掛け、マスク１２を顔に装着したとき、マスク本体部１４を適度な張力で顔に密着させる。
【００１９】
尚、耳掛け紐１６は、ゴム紐が好ましいが、適度な伸縮性を備えるか、あるいは長さが調整可能であればゴム製でなくともよい。また、マスク１２は、マスク本体部１４と耳掛け紐１６が別体でなく、マスク本体部１４と耳掛け紐１６が一体で形成されているものでもよい。
【００２０】
留め具１０を、図２に示す。留め具１０は、１０〜１５ｍｍ程度の長さと５ｍｍ程度の横幅を有する形状で、全体が基本的に合成樹脂材料で形成されている。留め具１０は、中央に胴部１０ａを備え、胴部１０ａの長手方向両端に、取付部としての挟み込み部１０ｂを備えている。胴部１０ａと挟み込み部１０ｂとは、概ね滑らかに連続して形成されている。
【００２１】
図３に留め具１０の正面図を、図４に留め具１０の側面図を示す。留め具１０は、図３に示すように、長手方向に沿ってほぼ同一の横幅を備えている。胴部１０ａと挟み込み部１０ｂとの間には、図４に示すように適度な段差が設けられている。挟み込み部１０ｂは、ほぼ円形の外形を有し、それぞれの内部に切込み１３が設けられている。
【００２２】
次に、切込み１３について詳しく説明する。切込み１３は、図３、図４に示すように、留め具１０の同一の側面に開口部１３ａを有し、開口部１３ａからそれぞれ、他方の開口部１３ａに対して遠ざかる方向に斜めにほぼ平行な隙間が延び、隙間の先に保持部１３ｂが設けられている。
【００２３】
開口部１３ａは、留め具１０の胴部１０ａの湾曲した面と挟み込み部１０ｂの外周部から庇状に延びる突片１５との間に開口し、留め具１０の長手方向に対して直交する方向に一直線状に開口している。
【００２４】
保持部１３ｂは、適度な直径の筒状の孔で、挟み込み部１０ｂの外形とほぼ同心円状の位置に形成されている。２つの保持部１３ｂは、自然状態におけるマスク本体部１４の左右両側縁に取り付けられている上下の耳掛け紐１６の間隔より狭い間隔で設けられている。そして、それぞれの切込み１３は、胴部１０ａの中心を挟んで対称となる形に設けられている。
【００２５】
このように切込み１３は、滑らかな曲面に形成された胴部１０ａと突片１５との間で外方に広がった開口部１３ａを備え、そして、開口部１３ａが徐々に狭まり、ほぼ一定の幅の隙間となり、その後、円筒状の保持部１３ｂに至るように形成されている。
【００２６】
したがって留め具１０は、開口部１３ａを通してマスク１２の耳掛け紐１６を切込み１３に容易に挿入でき、そして、開口部１３ａから耳掛け紐１６を保持部１３ｂに保持させると、耳掛け紐１６が保持部１３ｂから容易に外れないようになる。更に、上下の耳掛け紐１６を留め具１０のそれぞれの切込み１３に掛けるとマスク本体部１４の左右両側縁が留め具１０により上下に引き寄せられ、マスク本体部１４がほぼ中央で屈曲される。
【００２７】
次に、留め具１０をマスク１２に用いた例について説明する。
【００２８】
マスク１２の左右の耳掛け紐１６の上側の紐には、図１に示すように、留め具１０の一方の挟み込み部１０ｂが差し入れられている。すなわち、マスク１２には、留め具１０が予め耳掛け紐１６に取り付けられている。この状態で左右の耳掛け紐１６をそれぞれ耳に掛けることにより、マスク１２は通常通り顔に装着され、マスク本体部１４が口と鼻を覆い、呼吸時には微粒子等を濾過し、咳やくしゃみに対しては唾等の飛散を防止する。
【００２９】
そして、マスク１２によって微粒子の吸引を防止するより他者への配慮が重要視される状態になった場合では、留め具１０の他方の挟み込み部１０ｂの切込み１３を下側の耳掛け紐１６に係合させる。留め具１０が耳掛け紐１６の上下に掛けられた状態を図５に示す。すると、マスク本体部１４の上下の耳掛け紐１６の間隔が狭められ、これによりマスク１２の形状を立体的にし、マスク１２と顔との密着が緩和されるとともに、マスク本体部１４の左右の端縁が屈曲し、マスク本体部１４の側方に、概ね三角形の空間２０が顔との間に形成される。
【００３０】
これにより、マスク１２の内側に熱が溜まることを抑止でき、又、通常のゆっくりした呼吸時には主にマスク本体部１４の両端に形成された空間２０を息が通り、楽に呼吸を行うことができる。一方咳やくしゃみをした場合、マスク本体部１４が口と鼻の前方に位置しているので、口や鼻からのくしゃみ、咳などの強く速い息はマスク本体部１４を通過し、マスク本体部１４で濾過することができる。したがって、留め具１０により顔とマスク１２との間に空間２０が形成されていても、他者への問題を生じさせない。
【００３１】
このように本考案のマスクの耳掛け紐用留め具によれば、マスク１２を通常に使用することに加え、必要に応じてマスク１２を立体的な形状にし、マスク１２の左右両端部に空間２０を形成して、咳やくしゃみなどを濾過する機能は保持しつつ、空間２０を通して呼吸を楽にし、熱の蓄積を抑止することができる。又、留め具１０は、滑らかに連続した外形を有していることから、違和感や皮膚等に損傷等を与えることがない。
【００３２】
尚、上記例では、留め具１０を予め一方の耳掛け紐１６に取り付けていたが、留め具１０は、予めマスク１２に取り付けていなくてもよい。留め具１０を予めマスク１２に取り付けていない場合は、留め具１０を所持し、必要に応じてマスク１２の上下の耳掛け紐１６に留め具１０の切込み１３をそれぞれ取り付けるようにする。
【００３３】
又、留め具１０は、合成樹脂製としたが、本考案の留め具１０の材質は、合成樹脂に限るものではなく、耳掛け紐１６の上下の間隔を狭められれば、紐、布、金属その他でもよい。また、留め具１０の外観は、装着しているのが目立たない色（透明を含む）であっても、逆に目立つ色であってもよく、更に、留め具１０にキャラクターその他の装飾を付け加えてもよい。
【００３４】
切込み１３は、上記例の形状に限るものではなく、耳掛け紐１６に取り付けられれば、かぎ状その他の形状であってもよい。切込み１３等は、それぞれ留め具１０の同一の側面でなく、対向する面に設けられていてもよい。
【００３５】
又、留め具１０は、２つの挟み込み部１０ｂの一方の切込み１３の隙間幅を狭くし、切込み１３の隙間幅を狭くした側の挟み込み部１０ｂを耳掛け紐１６に予め掛けるようにし、留め具１０を耳掛け紐１６から脱落しにくくしてもよい。更に、留め具１０は、切込み１３でなく、一方の挟み込み部１０ｂに貫通孔を設け、貫通孔に耳掛け紐１６を予め通しておき、留め具１０を脱落しないようにしてもよい。
【産業上の利用可能性】
【００３６】
本考案は、衛生用マスクに用いられる。
【符号の説明】
【００３７】
１０…留め具、１０ａ…胴部、１０ｂ…挟み込み部、１２…マスク、１３…切込み、１３ａ…開口部、１３ｂ…保持部、１４…マスク本体部、１４ｃ…右側縁、１４ｄ…左側縁、１５…突片、１６…耳掛け紐、２０…空間。
【図１】
0003229234.tif 000003
【図２】
0003229234.tif 000004
【図３】
0003229234.tif 000005
【図４】
0003229234.tif 000006
【図５】
0003229234.tif 000007